(57)【要約】 【課題】  本願発明糸付テープは、釣りに使われる擬餌針作成に用いられ、擬餌針作成における糸巻作業、結び止め、接着作業、着色作業を省略して、ワンタッチで擬餌針を作成することをおもな課題とする。  【解決手段】上記課題を解決する為に、両面粘着層の間に挟まれた基材が、固定用及び/又は疑似餌用として前記両面粘着層から突出した部分を持つワンタッチ疑似餌を作成する。【選択図】  図１
2014147297.tif 000002
【特許請求の範囲】
【請求項１】
両面粘着層の間に挟まれた基材が、固定用及び/又は疑似餌用として前記両面粘着層から突出した部分を持つワンタッチ疑似餌。
【請求項２】
前記基材が伸縮性を備えたことを特徴とする請求項１記載のワンタッチ疑似餌。
【請求項３】
前記基材及び/又は前記粘着層が着色を備えたことを特徴とする請求項１又は２記載のワンタッチ疑似餌。
【発明の詳細な説明】
【技術分野】
【０００１】
本願発明は、両面粘着層の間に挟まれた基材が、固定用及び/又は疑似餌用として前記両面粘着層から突出した部分を持つワンタッチ疑似餌に関するものである。
【背景技術】
【０００２】
擬餌針作成において、釣り針に疑似餌材料を備え付ける際に、疑似餌材料の脱落防止の為に、釣り針に疑似餌材料を括りつける糸巻作業が行われる。又、糸巻作業の糸巻完了時には結び止めを行い、その後で、糸の緩み止め防止の為に接着剤を用いた接着作業を行うという、複数の脱落防止作業をしなければならない。更に、一般的には、脱落防止作業の後に、巻き付けた糸に集魚目的で夜光色、蓄光色、蛍光色等の染料を塗りつける着色作業が行われる。この様な複数作業によって擬餌針は完成する。  
【０００３】
特許公開０４−３５５１２５号には、光反射性分散シートおよびその製造方法が又、特開平５−７４４１号には前記光反射性分散シートを用いた擬餌針が公開されている。これらの文献の中には、製造工程の中で着色された支持フィルムの両側に粘着層を備えさせることが公開されているが、これはあくまで光反射性分散シートの製造工程の過程で光反射材を接着させる目的で、両面粘着層を備えるに過ぎず、製品として完成された光反射性分散シートや擬餌針にはすでに粘着層は存在しない。又、製造工程の過程においては基材の両面には粘着層は備えているが、固定用及び/又は疑似餌用として前記両面粘着層から突出した部分を持つ両面粘着層の間に挟まれた基材は備えていない。
【０００４】
実願平０５−０６７８５８号(実開平０７−０３６６４９号)や、実願平０５−００６０８５号(実開平０６−０５７１７２号)には、疑似餌や目印に両面テープを貼る記載がされているが、これは単に、前記疑似餌又は前記目印を釣り針や釣り糸に固定する為に既成の両面テープを、前記疑似餌又は前記目印を釣り針に貼り付けたものにすぎず、前記疑似餌又は前記目印は、その両面に両面粘着層を設けておらず、又、固定用及び/又は疑似餌用として前記両面粘着層から突出した部分を持つ両面粘着層の間に挟まれた基材を備えていない。
【先行技術文献】
【特許文献】
【０００５】
【特許文献１】特開平０４−３５５１２５号
【特許文献２】特開平０５−７４４１号
【特許文献３】実願平０５−０６７８５８号(実開平０７−０３６６４９号)
【特許文献４】実願平０５−００６０８５号(実開平０６−０５７１７２号)
【発明の概要】
【発明が解決しようとする課題】
【０００６】
本願発明ワンタッチ疑似餌は、擬餌針の作成において釣り針に疑似餌材料を固定する際に、０００２項で述べた、複数の脱落防止作業（糸巻作業、結び止め、接着作業）及び着色作業を省略してワンタッチで擬餌針を完成させることを課題とする。
【課題を解決するための手段】
【０００７】
両面粘着層の間に挟まれた基材が、固定用及び/又は疑似餌用として前記両面粘着層から突出した部分を持つワンタッチ疑似餌を作成する。
【０００８】
又、前記基材が伸縮性を備えたことを特徴とするワンタッチ疑似餌を作成する。
【０００９】
更に、前記基材及び/又は前記粘着層が着色を備えたことを特徴とするワンタッチ疑似餌を作成することにより本願発明の効果が発揮できる。
【発明の効果】
【００１０】
両面粘着層の間に挟まれた基材が、固定用及び/又は疑似餌用として前記両面粘着層から突出した部分を持つワンタッチ疑似餌を作成する。この効果を以下に述べる。
【００１１】
擬餌針作成において、釣り針に疑似餌材料を備え付ける為には、疑似餌材料を釣り針に括りつける糸巻作業を行わなければならない。又、糸巻作業の糸巻完了時には結び止めを行わねばならず、結び止めの後で、糸の緩み止めの為に接着剤を用いた接着作業等の複数の脱落防止作業をしなければならない。  
【００１２】
本願発明ワンタッチ疑似餌を用いた場合は、基材が備えた両面粘着層の、内側の粘着層（内面粘着層）を用いて釣り針に貼り付けた場合、釣り針の外側に粘着層（外面粘着層）を実現することが出来るので、前記両面粘着層から突出した固定用及び/又は疑似餌用の前記基材を用いて外面粘着層に巻き付けるだけで粘着固定が可能となるので、前記複数の脱落防止作業の省略が出来る効果がある。
【００１３】
更に、前記基材が伸縮性を備えたことを特徴とするワンタッチ疑似餌を作成する。この効果を下記に述べる。
【００１４】
前記基材が伸縮性を持つ事で、００１３で述べた外面粘着層に前記両面粘着層から突出した前記基材を巻き付けた場合、前記基材が持つ伸縮性により、外面粘着層に巻き付けた場合、緊縮効果が高まった状態での粘着固定が可能になる。
【００１５】
更に、前記基材及び/又は前記粘着層が着色を備えたことを特徴とするワンタッチ疑似餌を作成する。この効果を下記に述べる。
【００１６】
擬餌針作成においては、通常は０００２項で述べた疑似餌材料を固定する複数の脱落防止作業により疑似餌材料の釣り針への固定が完了する。擬餌針によっては前記脱落防止作業の後に、夜光色、蓄光色、蛍光色等の染料を巻き付けた糸に塗りつける着色作業が行われる。前記基材及び/又は前記粘着層に着色を施すことで、前記着色作業を省くことが出来る。
【００１７】
尚、前記基材に着色を備えさせることにより、前記外面粘着層に巻き付けられた基材はそれのみでも疑似餌としての効果を発揮することが出来る。
【００１８】
以上述べたように、本願発明ワンタッチ疑似餌を用いた場合は、擬餌針作成において通常では必要な、前記脱落防止作業及び前期着色作業を行わなくてもワンタッチで擬餌針が完成する。
【図面の簡単な説明】
【００１９】
【図１】両面粘着層３ａ、３ｂから突出した固定用基材２a及び疑似餌用基材２ｂを備えた本願発明ワンタッチ疑似餌１の断面図。
【図２】図１で示す本願発明ワンタッチ疑似餌１の正面図。
【図３】図２で示す本願発明ワンタッチ疑似餌１の内面粘着層３ｂの上に、釣り糸６で括られた釣り針５を乗せた正面図
【図４】図３で示す状態から、針５を包み込んで、本願発明ワンタッチ疑似餌１を内側に二つ折りに折り込んだ側面図
【図５】図４の状態から、前記固定用の基材２aを前記外面粘着層３aに巻き付け貼り付け固定した擬餌針の完成図
【図６】両面粘着層３ａ、３ｂから突出した疑似餌用基材２ｂを備えた本願発明ワンタッチ疑似餌１の断面図
【図７】図６で示す本願発明ワンタッチ疑似餌１の正面図
【図８】図７で示す本願発明ワンタッチ疑似餌１の内面粘着層３ｂの上に、釣り糸６で括られた釣り針５を乗せた正面図
【図９】図８の状態から、針５を包み込んで、本願発明ワンタッチ疑似餌１を内側に二つ折りに折り込んだ側面図
【図１０】図９の状態から、前記疑似餌基材２ｂを前記外面粘着層３aに貼り付けた擬餌針の完成図
【図１１】両面粘着層３ａ、３ｂから突出した固定用基材２ａを備えた本願発明ワンタッチ疑似餌１の断面図
【図１２】図１１で示す本願発明ワンタッチ疑似餌１の正面図
【図１３】図１２で示す本願発明ワンタッチ疑似餌１に新たな疑似餌材料７ａ、７ｂを貼り付けた正面図
【図１４】図１３で示す本願発明ワンタッチ疑似餌１の内面粘着層３ｂの上に、釣り糸６で括られた釣り針５を乗せた正面図
【図１５】図１４で示す状態から、針５を包み込んで、本願発明ワンタッチ疑似餌１を内側に二つ折りに折り込んだ側面図
【図１６】図１５の状態から、前記固定用の基材２aを前記外面粘着層３aに巻き付け貼り付け固定た擬餌針の完成図
【図１７】ルアー８に本願発明ワンタッチ疑似餌１を使用した完成図。
【図１８】釣り糸６に本願発明ワンタッチ疑似餌１を使用した完成図。
【発明を実施するための形態】
【実施例１】
【００２０】
実施例１で使用する本願発明ワンタッチ疑似餌１とは、図１の断面図で示すように、両面粘着層３ａ、３ｂの間に挟まれた基材２が、前記両面粘着層３ａ、３ｂから、固定用の基材２a及び疑似餌用の基材２ｂとして左右に突出した形状を示す。尚、図１では前記両面粘着層３ａ、３ｂの外側に一対の剥離紙４ａ、４ｂを設けたものを描いている。
【００２１】
図２は図１で示す本願発明ワンタッチ疑似餌１の前記剥離紙４ａ、４ｂを剥がした状態の正面図を描く。実施例１では前記両面粘着層３ａ、３ｂから突出した固定用の基材２aは二股に裂けた形状で、疑似餌用の基材２bは三つ又に裂けた形状にしたものを用いて説明する。
【００２２】
図２で示す正面図では、正面にある内面粘着層３ｂは表示されているが、外面の粘着層３ａは裏面にあるので見えていないが内面粘着層３ｂの裏面には外面粘着層３ａが備えられている。尚、実施例１で使用する前記固定用の基材２ａは、夜光塗料Ａで着色された伸縮性のあるゴムスキンの薄い膜状のフィルムを使用している。固定用の基材２ａと疑似餌用の基材２ｂは同じ材質ものでも別のものでも構わない。
【００２３】
実施例１においては、本願発明ワンタッチ疑似餌１を図３で示す釣り針５に使用する場合の使用例を説明する。まず、図３では、図２で示す本願発明ワンタッチ疑似餌１の正面図の上に釣り糸６で括られた釣り針５を乗せて前記内面粘着層３ｂに貼り付けた状態を示す。
【００２４】
更に、図４では、図３で示す針５の根元に内面粘着層３ｂで貼り付けた本願発明ワンタッチ疑似餌１を針５の内側に二つ折りに折り込んだ状態を示す。この様に折り返すことで、内面粘着層３ｂは挟み込んだ釣り針の内側に隠れて、釣り針の外側には外面粘着層３aが実現する。
【００２５】
図４で示す、釣り針５が備えた前記外面粘着層３aの左方には、００２１項で述べた三つ又状の擬餌餌用の基材２ｂが備わり、右方には二股の固定用の基材２aが備えられる。
【００２６】
図５は、図４で示す右方の二股の前記固定用の基材２aを前記外面粘着層３aに巻き付け貼り付け固定した図を示す。前記固定用の基材２aは緊縮して前記外面粘着層３aが持つ粘着力により貼り付け固定する。この際、前記固定用の基材２aは伸縮性を持つ事で緊縮の効果が高まる。
【００２７】
前記固定用の基材２aは、外面粘着層３aが備えた粘着力により貼り付け固定されるので、図５で示す結び止めＢの必要がない。更に外面粘着層３aの効果により、巻き付けた固定用の基材２aの緩みや脱落防止のために接着剤を用いた接着作業の必要がなく、これらの複数の脱落防止作業をしなくても、前記貼り付け固定により擬餌針作成作業は完了する。
【００２８】
０００２で述べたように、従来の糸巻作業による擬餌針作成では、糸巻作業の糸の結び止めの後に接着剤による糸の接着固定による脱落防止作業を行い、その後に、００１６項で述べたように、糸を巻き付けた部分に着色作業を行う必要がある。本願発明ワンタッチ疑似餌１を使用した場合は、前記脱落防止作業はもちろん、前記固定用の基材２aが備える夜光塗料Ａにより着色作業も省略される。
【００２９】
この様に、本願発明ワンタッチ疑似餌１を使用する事により、０００２項で説明した擬餌針作成に必要な工程である糸巻き作業及び糸の結び止めＢ、接着作業、着色作業の全ての作業を省略してワンタッチで擬餌針を完成させる事が可能となる。
【００３０】
実施例1では、基材２ａ、２ｂは両側に同じ材質ものを用いて説明したが、００２２項で述べたように固定用の基材２ａと疑似餌用の基材２ｂは同じ材質ものをでも別のものでも、その機能を果たす限りは構わない。
つまり、両面粘着層３から両側に別の種類の固定用の基材２ａ及び疑似餌用の基材２ｂが突出した形態や、側面も含めて他方から基材２ａ、２ｂが突出たものも使用される場合がある。
【実施例２】
【００３１】
実施例２においては図６で示す疑似餌用の基材２ｂが両面粘着層３ａ、３ｂから右方に突出した形態の本願発明ワンタッチ疑似餌１を針５に使用する場合の使用例を説明する。
【００３２】
図６は実施例２で用いる本願発明ワンタッチ疑似餌１の断面図を示す。前記疑似餌用の基材２ｂを挟む両面粘着層３ａ、３ｂは、前記基材２をその中間までしか挟んでいない。実施例２で示す図１では、基材２ａ、２ｂが前記両面粘着層３ａ、３ｂの両側から突出する形態を用いたが、実施例２では、図６で示す疑似餌用の基材２ｂは前記両面粘着層３ａ、３ｂに末端の部分のみが挟まれて先端が突出するものを用いる。
【００３３】
尚、実施例２で使用する前記疑似餌用基材２ｂは、疑似餌用として伸縮性のあるゴムスキンの薄い膜状のフィルムを使用している。前記疑似餌用の基材の２ｂの根元部分は夜光塗料Ａで着色されている。前記疑似餌用の基材２ｂは前記両面粘着層３ａ、３ｂに末端の部分のみが挟まれて突出するものを用いることで擬餌針完成時の夜光塗料Ａの部分を限定することが出来る、
【００３４】
図７は実施例２で用いる本願発明ワンタッチ疑似餌１の正面図を示す。両面粘着層３ａ、３ｂの間に挟まれた疑似餌用の基材２ｂの先端が右方にはみ出している。正面にある内面粘着層３ｂは表示されているが、外面の粘着層３ａは裏面にあるので見えていないが内面粘着層３ｂの裏面には外面粘着層３ａが備えられている。
【００３５】
図８では、図７で示す本願発明ワンタッチ疑似餌１の正面図の上に釣り糸６で括られた釣り針５を乗せて前記内面粘着層３ｂに貼り付けた状態を示す。
【００３６】
更に、図９では、図８で示す針５の根元に内面粘着層３ｂで貼り付けた本願発明ワンタッチ疑似餌１を針５の内側に二つ折りに折り込んだ状態を示す。この様に折り返すことで、内面粘着層３ｂは挟み込んだ釣り針の内側に隠れて、釣り針の外側には外面粘着層３aが実現する。
【００３７】
図９で示す、釣り針５が備えた前記外面粘着層３aの右方には、先端が細長い二等辺三角形上の疑似餌用の基材２ｂが備えられる。
【００３８】
図１０は、前記外面粘着層３aに図９で示す右方の二等辺三角形状の疑似餌用の基材２ｂの根元にある夜光塗料Ａの部分を軽く巻き付けて、残りの長い部分の胴部を前記外面粘着層３ａに貼り付けたものである。前記疑似餌用の基材２ｂの胴の部分は前記外面粘着層３aが持つ粘着力により貼り付け固定される  
【００３９】
この様に、前記疑似餌用の基材２ｂが前記外面粘着層３aに胴部分が貼り付け固定されることで擬餌針が完成するが、前記基材２ｂの胴の部分のみを貼り付け固定して、先端を貼り付け固定しない事で、先端部分は水中をひらひらと漂う遊動部分を持つ疑似餌が完成する。  
【００４０】
００２８項で述べたように、本願発明ワンタッチ疑似餌１を使用した場合は、脱落防止作業はもちろん、前記疑似餌用の基材２ｂの根元部分は夜光塗料Ａにより着色されているので、部分的に行う着色作業も省略される。
【実施例３】
【００４１】
実施例３においては図１１の断面図で示す固定用の基材２ａが両面粘着層３ａ、３ｂから右方に突出した形態の本願発明ワンタッチ疑似餌１を針５に使用する場合の使用例を説明する。
【００４２】
図１２は実施例３で用いる本願発明ワンタッチ疑似餌１の正面図を示す。両面粘着層３ａ、３ｂの間に挟まれた固定用の基材２ａが右方にはみ出している。正面にある内面粘着層３ｂは表示されているが、外面の粘着層３ａは裏面にあるので見えていないが内面粘着層３ｂの裏面には外面粘着層３ａが備えられている。
【００４３】
尚、実施例３で使用する前記固定用基材２ａは、夜光塗料Ａで着色された伸縮性のあるゴムスキンの薄い膜状のフィルムを使用している。
【００４４】
図１３は、図１２で示す本願発明ワンタッチ疑似餌１に新たな疑似餌材料７ａ、７ｂを備えさせた状態を示す。新たな疑似餌材料７を両面粘着層に挟み込んだ本願発明ワンタッチ疑似餌１を作る事も可能であるが、実施例３においては、内面粘着層３ｂの一部に新たな疑似餌材料７ａ、７ｂを貼り付けたものを用いて説明する。
【００４５】
図１４は、図１３で示す本願発明ワンタッチ疑似餌１の正面図の上に釣り糸６で括られた釣り針５を乗せて前記内面粘着層３ｂに貼り付けた状態を示す。
【００４６】
更に、図１５では、図１４で示す針５の根元に内面粘着層３ｂで貼り付けた本願発明ワンタッチ疑似餌１を針５の内側に二つ折りに折り込んだ状態を示す。この様に折り返すことで、内面粘着層３ｂが挟み込んだ釣り針の外側に外面粘着層３aが実現する。前記内面粘着層３ｂに貼り付けられた新たな疑似餌材料７ａ、７ｂは内面粘着層３ｂに包み込まれて針５に貼り付き、貼り付けられない部分が針５の左方に突出する。
【００４７】
図１６は、図１５で示す右方の二等辺三角形状の固定用の基材２ａを前記外面粘着層３aに巻き付けて貼り付け固定した状態を示す。前記固定用の基材２ａは前記外面粘着層３aが持つ粘着力により貼り付け固定される
【００４８】
前記固定用の基材２aは、外面粘着層３aが備えた粘着力により貼り付け固定されるので、図５で示す糸巻作業完了時の結び止めＢの必要がない。更に外面粘着層３aの効果により、巻き付けた固定用の基材２aの緩みや脱落防止のために接着剤を用いた接着作業の必要がなく、これらの複数の脱落防止作業をしなくても、前記貼り付け固定により擬餌針作成作業は完了する。
【００４９】
擬餌針完成時には、糸巻作業の糸の接着剤による接着固定の後に、００１６項で述べたように、糸を巻き付けた部分に着色作業を行う場合がある。前記固定用の基材２ａは夜光塗料により着色されているので、着色作業も省かれる。
【００５０】
又、本発明着色両面テープ１を針５に括りつけた釣り糸６の根元部分に長めに巻き付ける手段を用いた場合、針５の根元部分の釣り糸６に幅広く本発明着色両面テープ１が取り付けられて強化されるので、魚の歯によるハリス６の切断を防ぐことが出来る。  
【００５１】
図１７では、本願発明ワンタッチ疑似餌１をルアー８に使用した場合の使用例を示す。実施例１、２、３と同様の手段を用いる事で、脱落防止作業や着色作業の必要がなく、本願発明ワンタッチ疑似餌１の装着により、ルアーの配色や形状をワンタッチで変えることが可能となる。
【００５２】
この様に釣り針５はもちろん、ルアー８やジグやスッテやテンヤ等、様々な釣り針５を備えたものに本願発明ワンタッチ疑似餌１を使用することで００２８項で述べたように、即座に擬餌針が出来上がり、水中での疑似餌材料の脱落防止作業及び着色作業等の複数作業がワンタッチで完了する。その他、釣り針５以外に使用する例としては、下記のものがある
【００５３】
図１８で示すように、渓流釣り等の激流での目印で釣り糸６に本願発明ワンタッチ疑似餌１を取り付けた場合、水圧による糸からの脱落やずれの防止を可能とする目印がワンタッチで実現する。
【００５４】
又、浮力をあるものを包み込めば、ボタ釣り(落とし込み釣り）等の目印や、色彩を持つ浮子が実現する。尚、前記固定用の基材３aは夜光塗料で着色されているので夜間での視認効果があるので、昼間はもちろん、夜間でも目印や浮子としての機能が発揮される。
【００５５】
更に、実施例３で示したように、本願発明ワンタッチ疑似餌１の前記両面粘着層３に様々な新たな別の疑似餌材料を備えさせる手段を用いて釣り糸６に複数を取り付けた場合には、カワハギ釣り等に使用する集魚器がワンタッチで実現する。
【００５６】
その他の様々な釣り具（錘、テンビン、サルカン等）に貼り付ける場合においても、本願発明ワンタッチ疑似餌１を用いる事で、集魚目的で使用する場合や固定目的で使用する場合においても、ワンタッチでの装着が可能となる。
【符号の説明】
【００５７】
１  本願発明ワンタッチ疑似餌
２  基材
３  粘着層
４  剥離紙
５  針
６  釣り糸
７  疑似餌材料
８  ルアー
Ａ  夜光塗料
Ｂ  結び止め
【図１】
2014147297.tif 000003
【図２】
2014147297.tif 000004
【図３】
2014147297.tif 000005
【図４】
2014147297.tif 000006
【図５】
2014147297.tif 000007
【図６】
2014147297.tif 000008
【図７】
2014147297.tif 000009
【図８】
2014147297.tif 000010
【図９】
2014147297.tif 000011
【図１０】
2014147297.tif 000012
【図１１】
2014147297.tif 000013
【図１２】
2014147297.tif 000014
【図１３】
2014147297.tif 000015
【図１４】
2014147297.tif 000016
【図１５】
2014147297.tif 000017
【図１６】
2014147297.tif 000018
【図１７】
2014147297.tif 000019
【図１８】
2014147297.tif 000020